(57)【要約】【課題】スキャン装置の光学読込ヘッドを提供する【解決手段】本発明のスキャン装置の光学読込ヘッドは、ケーシング、レンズ、調整台と滑りフレームを有する。調整台は画像検出モジュールをサポートし、ケーシングに移動可能である。滑りフレームは、調整台と連結され、レンズがケーシングの導向軌道に沿って移動可能となるようにレンズを固定と駆動する。焦点合わせにおいては、レンズの位置が滑りフレームを移動することにより調整可能であり、また、光学信号が画像検出モジュールの画像センサーに明らかに結像する。倍率補正においては、レンズと画像検出モジュールの位置が調整台を移動することにより調整可能であり、また、光学読込ヘッドの倍率誤差が所定の値以下である。【選択図】図２
2007074692.tif 000002
【特許請求の範囲】
【請求項１】
スキャン装置の光学読込ヘッドであって、
表面に滑り軌道を有するケーシングと、
画像センサーを含む画像検出モジュールと、
前記ケーシングの前記表面に配置され、背部と第一及び第二の側部とを有し、前記画像検出モジュールが当該背部によりサポートされる調整台と、
前記滑り軌道に移動可能なレンズと、
前記第一と第二の側部の間に設置され、前記レンズが外力に応じて前記滑り軌道に沿って移動可能となるように前記レンズを駆動する滑りフレームと、
を有する、
光学読込ヘッド。
【請求項２】
相補的な形状を有し、それぞれ前記ケーシングの前記表面と前記調整台の前記第一の側部の底面とに形成される二つの合わせ要素を更に含む、
請求項１に記載の光学読込ヘッド。
【請求項３】
前記合わせ要素は、滑り軌道と突起部とを含む、
請求項２に記載の光学読込ヘッド。
【請求項４】
それぞれ前記調整台の第一と第二の側部の外部表面から突き出す二つの水平底板を更に含む、
請求項１に記載の光学読込ヘッド。
【請求項５】
前記水平底板の各々は、前記ケーシングの前記表面に位置するねじ穴に対応する導向軌道と、当該導向軌道を通過して当該ねじ穴にスクルーされるねじとを含む、
請求項４に記載の光学読込ヘッド。
【請求項６】
前記滑り軌道と平行し、前記ケーシングの前記表面に形成され、前記水平底板の移動方向を制限する二つの導向レールを更に含む、
請求項３に記載の光学読込ヘッド。
【請求項７】
二つの突起部が、前記導向レールのトップエッジに形成され、前記調整台が移動される際に、前記調整台が前記ケーシングから脱離することを防止する、
請求項６に記載の光学読込ヘッド。
【請求項８】
線形凹部が前記滑り軌道に形成され、前記第一の側部が当該線形凹部に対応する下向きのせん孔を有し、前記調整台が前記ケーシングに取り付けられる際に、当該線形凹部の一部が当該下向きのせん孔から露出される、
請求項３に記載の光学読込ヘッド。
【請求項９】
二つの水平ブロックが、前記滑りフレームをサポートするために、前記調整台の前記第一と第二の側部の内壁に形成される、
請求項１に記載の光学読込ヘッド。
【請求項１０】
前記滑りフレームの二つのサイドは、前記水平ブロックの上面と底面とを締めるために、前記ブロックに対応する水平翼とL状のほぞを含む、
請求項９に記載の光学読込ヘッド。
【請求項１１】
前記滑りフレームは、その両サイドに二つの水平翼を有する、
請求項１に記載の光学読込ヘッド。
【請求項１２】
前記水平翼の各々は、前記ケーシングの前記表面に位置するねじ穴に対応する導向軌道を有し、ねじが前記導向軌道に通過され、前記ねじ穴にスクルーされる、
請求項１１に記載の光学読込ヘッド。
【請求項１３】
前記滑りフレームは、その上面に配置される水平尾板を更に含み、前記調整板の前記背部は、その上面に滑り切欠き部を更に含み、前記滑りフレームが前記調整台と連結される際に、当該水平尾板は、当該滑り切欠き部を覆う、
請求項１に記載の光学読込ヘッド。
【請求項１４】
線形凹部が前記調整台の前記背部の上面に形成され、前記水平尾板が当該線形凹部に対応する下向きのせん孔を有し、前記滑りフレームが前記調整台に取り付けられる際に、当該線形凹部の一部が当該下向きのせん孔から露出される、
請求項１３に記載の光学読込ヘッド。
【請求項１５】
前記滑りフレームの前記水平尾板は、その端部から下向きに延伸する突起部を更に有し、前記調整台の背部は、当該突起部に対応する横断凹部を更に含み、当該突起部は、当該突起部の移動範囲を制限するために、前記凹部に収納される、
請求項１３に記載の光学読込ヘッド。
【請求項１６】
前記調整台の第一の側部の下に固定板を更に含み、当該固定板は、前記滑り軌道に形成されるL状の導向軌道に対応するL状のフック部を有し、当該L状のフック部は当該L状の導向軌道の短辺サイドを貫通し、当該L状の導向軌道の長辺サイドの外面にフックされ、前記調整台の前記第一の背部の底面は、前記滑り軌道と密接的に接触する、
請求項１に記載の光学読込ヘッド。
【請求項１７】
前記調整台と前記画像検出モジュールとの接続部分に配置される押し棒を更に含み、前記調整台は、当該押し棒を収納するために収納部を更に有する、
請求項１に記載の光学読込ヘッド。
【請求項１８】
前記押し棒は、その上面に線形凹部を更に含み、前記調整台は、当該線形凹部に対応する下向きのせん孔を有し、当該線形凹部の一部は、前記押し棒が前記収納部に収納され多後に、当該下向きのせん孔から露出される、
請求項１７に記載の光学読込ヘッド。
【請求項１９】
前記押し棒の上面は、前記調整台の導向軌道に対応するねじ穴を更に含み、ねじが前記導向軌道に通過され、当該ねじ穴にスクルーされる、
請求項１７に記載の光学読込ヘッド。
【請求項２０】
前記押し棒の前端は、前記画像検出モジュールの導向軌道に対応するねじ穴を更に含み、ねじが前記導向軌道に通過され、当該ねじ穴にスクルーされる、
請求項１７に記載の光学読込ヘッド。
【発明の詳細な説明】
【技術分野】
【０００１】
本発明は、スキャン装置の光学読込ヘッドに関し、具体的に、焦点合わせと倍率補正を容易にするための調整台と滑りフレームとを有する光学読込ヘッドに関する。
【背景技術】
【０００２】
図１は、従来のスキャン装置１の光学読込ヘッドの断面図である。図１に示すように、光学読込ヘッド１０は、光源１０１、複数の反射ミラー１０２、レンズ１０３及び画像検出モジュール１０４を有する。スキャンするときに、光源１０１からの光束がスキャン対象としての文書１１に投射される。スキャン対象としての文書１１から反射された光束が、複数の反射ミラー１０２により反射され、レンズ１０３より集束される。集束された光束は、画像検出モジュール１０４の画像センサー（図示せず）に結像し、アナログ信号に変換される。光源１０１、反射鏡１０２、レンズ１０３及び画像検出モジュール１０４がケーシング１００に含まれる。光学読込ヘッド１０のケーシング１００は、駆動デバイス（図示せず）により駆動され、スキャン対象としての文書１１の全体をスキャンする。
【０００３】
図１に示すように、光源１０１、反射鏡１０２、レンズ１０３及び画像検出モジュール１０４が光学読込ヘッド１０のケーシング１００に取り付けられた後に、焦点合わせと倍率補正を行う必要がある。まず、レンズ１０３の位置を適当に調整することにより、画像センサーに明らかに結像することができる。次に、レンズ１０３と画像検出モジュール１０４を同時に移動することにより、光学読込ヘッド１０の倍率の誤差が所定値以下となる。一般的に、焦点合わせと倍率補正を行う際に、レンズ１０３と画像検出モジュール１０４が調整台に配置され、そして、調整台がケーシング１００に取り付けられる。この場合、調整台に配置されるレンズ１０３を移動し、画像センサーに結像することにより、光学読込ヘッドの倍率を校正することができる。そして、調整台の位置を調整することにより、レンズ１０３と画像検出モジュール１０４が同時に移動されるので、倍率補正を行う。
【０００４】
上記の光学読込ヘッドの一例が特許文献１に開示されている。この例に係る光学読込ヘッドの光路調整メカニズムにおいて、レンズと画像検出モジュールが調整台に取り付けられる。調整台に配置されるレンズを移動し、画像センサーに結像することにより、光学読込ヘッドの倍率を校正することができる。または、調整台の位置を調整することにより、レンズと画像センサーが同時に移動される。これにより、光学読込ヘッドの倍率を校正することもできる。
【０００５】
前述のように、レンズが調整台に移動され、画像センサーの焦点合わせを行い、そして、調整台が移動され、倍率補正を行う。しかし、この光路調整メカニズムには欠点がいくつある。例えば、レンズが調整台によりケーシングに直接移動され、焦点合わせと倍率補正を行うので、光学読込ヘッドの累積誤差が大きくなり、スキャニング機能が低下する。
【０００６】
一方、倍率補正を行う際に、ケーシングにおいて調整台を安定的に移動することが要求される。特許文献１に開示されている光学読込ヘッドによれば、弾性クリップ部が調整台の片側に配置され、調整台の反対側が滑り台と密接的に接触する。この場合、調整台が滑り台の両側の近くに前進される。しかし、弾性シートによる押す力が前進方向と垂直するので、調整台が右の方或いは左の方に傾き、滑り台に沿って安定的に移動することができない。
【０００７】
また、焦点合わせと倍率補正が行われた後に、レンズが接着剤で調整台に取り付け、レンズの位置を固定する。光学読込ヘッドは保守或いは再加工される必要がある場合、及び、レンズは交換される必要がある場合には、レンズと調整台の組み合わせを新しいものに交換しなければならない。これにより、光学読込ヘッドは保守或いは再加工される必要がある場合、及び、レンズは交換される必要がある場合には、レンズを固定及び簡単に分離することができる調整台の開発が要求される。
【０００８】
前述のように、従来のスキャン装置の光学読込ヘッドにおいて、レンズが調整台に取り付けられる。レンズが調整台によりケーシングに直接移動され、焦点合わせと倍率補正を行うので、光学読込ヘッドの累積誤差が大きくなる。従来技術のこのような欠点を踏まえ、本発明は、スキャン装置の光学読込ヘッドを開発する。
【特許文献１】台湾特許第４１７９３１号
【発明の開示】
【発明が解決しようとする課題】
【０００９】
本発明の目的は、累積誤差を最小限にするスキャン装置の光学読込ヘッドを提供することにある。
【００１０】
本発明の他の目的は、調整台がケーシングに安定的に移動するスキャン装置の光学読込ヘッドを提供することにある。
【００１１】
本発明の他の目的は、光学読込ヘッドは保守或いは再加工される必要がある場合、及び、レンズは交換される必要がある場合に、レンズを固定及び簡単に分離することができる調整台を有するスキャン装置の光学読込ヘッドを提供することにある。
【課題を解決するための手段】
【００１２】
本発明の第一の観点によれば、本発明はスキャン装置の光学読込ヘッドを提供する。この光学読込ヘッドは、ケーシング、画像検出モジュール、調整台、レンズ及び滑りフレームを含む。ケーシングは、その表面に滑り軌道を有する。画像検出モジュールは、画像センサーを有する。調整台は、ケーシングの表面に配置され、背部と第一及び第二の側部を含み、画像検出モジュールは、この背部によりサポートされる。レンズは、滑り軌道に移動可能である。滑りフレームは、第一と第二の側面の間に配置され、外力に応じてレンズを滑り軌道に沿って駆動する。
【００１３】
本発明の第二の観点によれば、本発明はスキャン装置の光学読込ヘッドを提供する。この光学読込ヘッドは、ケーシング、画像検出モジュール、調整台及び押し棒を含む。ケーシングは、光源、複数の反射鏡及びレンズを有する。画像検出モジュールは、画像センサーを有する。調整台は、ケーシングの表面に設置され、画像検出モジュールをサポートし、また、調整台の中に収納部を有する。押し棒は、収納部に収納され、画像検出モジュールと連結され、画像検出モジュールの水平の配置角度を調整する。
【発明の効果】
【００１４】
本発明は、累積誤差を最小限にするスキャン装置の光学読込ヘッドを提供することができる。
【００１５】
また、本発明は、調整台がケーシングに安定的に移動するスキャン装置の光学読込ヘッドを提供することができる。
【００１６】
さらに、本発明は、光学読込ヘッドは保守或いは再加工される必要がある場合、及び、レンズは交換される必要がある場合に、レンズを固定及び簡単に分離することができる調整台を有するスキャン装置の光学読込ヘッドを提供することができる。
【発明を実施するための最良の形態】
【００１７】
次に、添付した図面を参照しながら、本発明の好適な実施形態を詳細に説明する。
【００１８】
図２は、本発明の好適な実施例に係るスキャン装置の光学読込ヘッドの断面図である。図２に示すように、スキャン装置２の光学読込ヘッド２０は、光源２０１、複数の反射鏡２０２、レンズ２０３及び画像検出モジュール２０４を含む。光源２０１と複数の反射鏡２０２は、ケーシング２００に統合される。画像検出モジュール２０４は、調整台２０５に配置され、調整台２０５は、ケーシング２００に移動可能である。レンズ２０３は、調整台２０５に取り付けられる滑りフレーム２０６によりケーシング２００に固定される。光学読込ヘッド２０の一実施形態において、滑りフレーム２０６を移動することにより、レンズ２０３の位置を単独に調整でき、同時に、光学信号が画像センサーに結像するので、焦点合わせを行う。その後、調整台２０５を移動することにより、レンズと画像検出モジュール２４０が同時に移動されるので、光学読込ヘッド２０の倍率補正を行う。
【００１９】
図３Aから３Dは、本発明の第一の好適な実施形態に係るスキャン装置の光学読込ヘッドを組み立てるプロセスを示す図である。説明を簡潔するために、ここでは、重要な構成要素のみを図に示す。
【００２０】
図３Aに示すように、光学読込ヘッド２０は、ケーシング２００、調整台２０５、レンズ２０３、画像検出モジュール２０４及び滑りフレーム２０６を含む。滑り軌道２０８は、ケーシング２００の上面２００A（例えば、調整台２０５に対向する表面）に形成される。レンズ２０３は滑り軌道２０８に沿って安定的に滑ることができるので、累積誤差が生成されない。画像検出モジュール２０４は、画像センサー２０４Aと回路板２０４Bを含む。二つの導向槽或いは導向孔２０４B’は、回路板２０４Bの二つの対向するエッジに形成される。調整台２０５は、背部２０９と二つの側部２１０及び２１１を含む。背部２０９と二つの側部２１０及び２１１との間の領域が中間スペースとして呼ばれ、その中に滑りフレーム２０６を収納する。
【００２１】
また、調整台２０５がケーシング２００と密接的に接触し、ケーシング２００に安定的に移動できるために、二つの合わせ要素（例えば、滑り軌道２０７と突起部２１０A）がそれぞれケーシング２００の上面と調整台２０５の側部２１０に形成される。滑り軌道２０７と突起部２１０Aは、合わせ形状を有する。相補的な形状であるため、調整台２０５の底面がケーシング２００と密接的に接触し、調整台２０５は、ケーシング２００に取り付けられた後に、滑り軌道２０７に安定的に移動する。なお、合わせ要素については、この実施形態に限定されず、あらゆる変更も可能である。例えば、突起部と滑り軌道が、合わせ形状を有すれば、それぞれケーシング２００と調整台２０５に形成されても良い。
【００２２】
図３Aと３Bに示すように、画像検出モジュール２０４は、ねじ２２８を対応する導向槽２０４B’を貫通し、調整台２０５の背部２０９のねじ穴２０９A（図４Aに示される）にスクルーすることにより、調整台２０５と組み合わせる。その後、調整台２０５と画像検出モジュール２０４との組み合わせは、ケーシング２００の上面２００Aに配置され、突起部２１０Aと共に滑り軌道２０７に沿って安定的に移動する。
【００２３】
また、図３Aと３Bに示すように、調整台２０５がケーシング２００に安定的に移動できるために、二つの水平底板２１２が、それぞれ調整台２０５の側部２１０と２１１の外表面から突き出される。また、滑り軌道２０７と平行する二つの導向レール２１３がケーシング２００の上面２００Aに形成されるので、水平底板２１２の移動方向を制限する。ケーシング２００に調整台２０５を固定するために、導向槽２１２Aとその対応するねじ穴２００Bが、それぞれ、水平底板２１２とケーシング２００の上面に形成される。ねじ２１５を対応する導向槽２１２Aを貫通し、対応するねじ穴２００Bにスクルーすることにより、調整台２０５はケーシング２００に固定される。更に、突起部２１３Aが導向レール２１３のトップのエッジに形成され、調整台２０５が移動する際にケーシング２００から離れることを防止する。
【００２４】
図３Aから図３Dに示すように、調整台２０５は、画像検出モジュール２０４をサポートし、ケーシング２００に安定的に移動することができる。また、調整台２０５がケーシング２００と組み合わせられた後に、導向軌道２０８が、調整台２０５の背部２０９と側部２１０及び２１１との間の領域に設置される。図３Bに示すように、レンズ２０３が、続いて導向軌道２０８に設置される。その後、図３Dに示すように、滑りフレーム２０６が、調整台２０５の背部２０９と側部２１０及び２１１との間に収納され、レンズ２０３を固定する。この場合、レンズ２０６は、滑り軌道２０８に沿って移動可能である。また、調整台２０５の背部２０９は、センシング・ウィンドウ２０９Eを更に含む。センシング・ウィンドウ２０９Eにより、レンズ２０３からの光学信号が画像検出モジュール２０４に結像される。
【００２５】
また、図３Aから図３Dに示すように、滑りフレーム２０６を調整台２０５に連結するために、二つの水平ブロック２１４が調整台２０５の側部２１０と２１１の内壁に形成され、また、滑りフレーム２０６の両サイドが水平ブロック２１４に対応する複数の水平翼２０６AとL状のほぞ２０６Bを有する。水平翼２０６AとL状のほぞ２０６Bが水平ブロック２１４の上面と底面を固定した後に、滑りフレーム２０６が調整台２０５と連結され、水平ブロック２１４に沿って前後に移動可能である。一方、滑りフレーム２０６とレンズ２０３は、互いにマッチする係合要素を有する。例えば、レンズ２０３の外周にリング状の凹部２０３Aを有し、この凹部２０３Aは、滑りフレーム２０６（図３Cに示される）の凸部２０６Cをマッチする。滑りフレーム２０６が調整台２０５と連結される場合、凸部２０６Cがリング状の凹部２０３Aと係合される。滑りフレーム２０６が移動されると、凸部２０６Cがリング状の凹部２０３Aを押し、同時に、レンズが滑り軌道２０８に沿って移動される。よって、レンズ２０３と画像センサー２０３Aとの間に距離を調整する。なお、係合要素については、この実施形態に限定されず、あらゆる変更も可能です。例えば、二つのリング状の凹部２０３Aと二つの凸部２０６Cが、それぞれレンズ２０３と滑りフレーム２０６に形成される。更に、滑りフレーム２０６は、所望しない光束をフィルタリングするための遮光板２０６Dと、レンズ２０３を固定する凸部２０６Cをアシストするアーチ状のホルダー２０６Eとを含む。
【００２６】
図３Bから３Dに示すように、滑りフレーム２０６は、底面の両側に二つの水平翼２０６Fを含む。水平翼２０６Fの各々は、ケーシング２００の上面２００Aのねじ穴２００Cに対応する導向槽２０６F’を有する。ねじ２１６を対応する導向槽２０６F’を貫通し、対応するねじ穴２００Cにスクルーすることにより、図３Dに示すように、滑りフレーム２０６がケーシング２００に固定される。
【００２７】
更に、レンズ２０３は、調整台２０５に取り付けられる滑りフレーム２０６により駆動され、導向軌道２０８に沿って安定的に移動できるために、調整台２０５の背部２０９は、滑りフレーム２０６の上面に配置される水平尾板２０６Gに対応する導向構造を含む。図３Bに示すように、一例としての導向構造は、導向圧入部２０９Bを含む。滑りフレーム２０６が、調整台２０５と連結され、調整台２０５に移動されると、導向圧入部２０９Bを覆う水平尾板２０６Gが、導向圧入部２０９Bにより導向され、前後に安定的に移動される。なお、導向構造については、この実施形態に限定されず、あらゆる変更も可能です。例えば、導向構造は、水平尾板２０６Gを導向するための二つの隆起する導向軌道を有しても良い。
【００２８】
図３Bから３Dに示すように、レンズ２０３は、調整台２０５に取り付けられる滑りフレーム２０６により駆動され、導向軌道２０８に沿って所定の距離まで移動できるために、調整台２０５の背部２０９は、滑りフレーム２０６の水平尾板２０６Gの端部から下方に延伸する突起部２０６Hに対応する横向き凹部２０９Cを含む。この場合、滑りフレーム２０６が調節台２０６と連結されると、図３Dに示すように、突起部２０６Hが凹部２０９Cに収納され、移動可能な範囲が凹部２０９Cにより制限される。
【００２９】
図３Aと図３Bに示すように、滑りフレーム２０６と調整台２０５を用い、位置を正確的に調整できるために、滑りフレーム２０６の水平尾板２０６Gは、調整台２０５の背部２０９の上面における線形の凹部２０９Dに対応するせん孔２０６Iを含むので、焦点合わせを補助する。また、調整台２０５の側部２１０は、ケーシング２００の滑り軌道２０７の線形の凹部２０７Aに対応する下向きせん孔２１０Bを含むので、倍率補正を補助する。
【００３０】
図３Dから３Fに示すように、滑りフレーム２０６が調整台２０５と連結された後に、線形の凹部２０９Dの一部がせん孔２０６Iから露出される。調整シャフト２２０の偏心カム２１９を、せん孔２０６Iを通過して線形の凹部２０９Dに挿入することにより、滑りフレーム２０６の移動を調整することができる。偏心カム２１９は、調整シャフトの回転により線形の凹部２０９Dを移動し、滑りフレーム２０６は、調整台２０５の水平ブロック２１４に移動される。図３Eと図３Fに示すように、レンズ２０３は、滑りフレーム２０６の移動に応じて導向軌道２０８に移動されるので、焦点合わせを行う。
【００３１】
図３D、図３Fと図３Gに示すように、調整台２０５がケーシング２００に取り付けられた後に、線形の凹部２０７Aの一部がせん孔２１０Bから露出される。調節シャフト２１８の偏心カム２１７を、せん孔２１０Bを通過して線形の凹部２０７Aに挿入することにより、調整台２０５の移動を調整できる。偏心カム２１７は、調整シャフト２１７の回転により線形の凹部２０７Aを移動し、調整台２０５は、滑り軌道２０７に沿って移動される。図３Fと３Gに示すように、レンズ２０３、画像検出モジュール２４０及び滑りフレーム２０６は、調整台２０５の移動に応じえ同期的に移動されるので、倍率補正を行う。
【００３２】
図３Hに示すように、調整シャフトによる微調整により、光学読込ヘッド２０の倍率誤差が所定の値以下に調整された後に、ねじ２１５と２１６は、それぞれ調整台２０５の導向槽２１２Aと、滑りフレーム２０６の導向槽２０６F’とを貫通し、ケーシング２００の上面２００Aのねじ孔２００Bと２００Cにスクルーされる。これにより、調整台２０５と滑りフレーム２０６は、ケーシング２００に固定される。一方、光学読込ヘッドが保守または再加工される場合、並びに、レンズが交換される必要がある場合には、まず、ねじ２１５と２１６が緩められ、そして、滑りフレーム２０６と調整台２０５が分離される。関連する部品が交換され、焦点合わせと倍率補正が行われた後に、調整台２０５と滑りフレーム２０６が再びケーシング２００に固定される。或いは、ケーシング２００の上面２００Aには複数のせん孔を有し、ねじ孔の対応する数を有する金属板（図示せず）がケーシング２００の背面に設置される。ねじ２１５と２１６が、せん孔を貫通してねじ孔にスクルーされた後に、調整台２０５と滑りフレーム２０６が、ケーシング２００に固定される。
【００３３】
調整台２０５がケーシング２００に移動される際に、調整台２０５の側部２１０の突起部２１０Aが滑り軌道２０７と密接的に接触するために、光学読込ヘッド２０は、調整台における固定要素と、ケーシング２００においてこの固定要素に対応する構造とを更に有しても良いので、倍率補正の後のシフトを防止する。
【００３４】
図４Aは、本発明の第二の実施形態に係る光学読込ヘッドを示す図である。この実施形態において、基本的な構成要素は、第一の実施形態に述べた構成要素とほぼ同様であるので、ここでは、その説明を省略する。この実施形態に係る調整台２０５は、背部２１０の底面に収納部２１０Cを更に含む。ねじ穴台（或いはねじ穴）２１０Dが収納部２１０Cに設置される。調整台２０５の固定要素は、L状のフック部２２１Aとせん孔２２１Bを有する固定板２２１を含む。ねじ２２２がせん孔２２１Bを貫通してねじ穴台２１０Dにスクルーされた後に、固定板２２１が収納部２１０Cに固定され、しかし、L状のフック部２２１Aが図４Bに示すように収納部２１０Cから突き出される。一方、光学読込ヘッド２０は、導向軌道２０７におけるL状の導向軌道２０７Bを更に含む。調整台２０５をハウジング２００と連結するために、L状のフック部２２１Aは、まず、L状の導向軌道２０７Bの短辺サイドに貫通する。調整台２０５がケーシング２００に移動された後に、L状のフック部２２１Aが、図４Cに示すように、L状の導向軌道２０７Bの長辺サイドの外面にフックされる。同時に、調整台２０５の突起部２１０Aも導向軌道２０７と密接的に接触する。同様に、図３Dに示すように、調整シャフト２１８を用いることにより、突起部２１０Aが導向軌道２０７に沿って移動される。
【００３５】
また、図３Aと図４Bに示すように、図３Aに係る第一の実施形態において、調整台２０５は、ケーシング２００の導向軌道２０７と直接連結され、図４Bに係る第二の実施形態において、調整台２０５は、L状のフック部２２１AをL状の導向軌道２０７Bに貫通させ、L状導向軌道２０７Bの長辺の外面にL状のフック部２２１Aをフックすることにより、ケーシング２００と連結される。また、水平底板２１２の各々は、L状のフック部２２１Aに対応する切欠き部２１２Bを更に含む。L状のフック部２２１AがL状の導向軌道２０７Bの短辺サイドを貫通した後に、導向レール２１３の突起部２１３Aは、切欠き部２１２Bを貫通し、調整台２５０の突起部２１０Aは、導向軌道２０７に埋め込まれる。この場合、調整台２０５は、導向台２０７に移動可能であり、そして、L状の導向軌道２０７Bの長辺サイドの外面にL状のフック部２２１Aをフックすることにより、ケーシング２００に固定される。
【００３６】
一方、光学読込ヘッド２０を組み立てる際に、レンズ２０３の固有の誤差が原因で、光学信号から画像センサー２０４Aまでの光路が容易に傾斜する。光路の傾斜を最小限にするために、光学読込ヘッド２０の第三の実施形態が図５Aから図５Cに示される。第一の実施形態に説明された構成要素に加えて、第三の実施形態の光学読込ヘッド２０は、画像検出モジュール２０４を含む調整可能な機構を更に有する。調整可能な機構により、画像検出モジュール２０４の水平配置角度を調整することができる。図５Aの光学読込ヘッド２０において、押し棒或いは押しブロック２２３が調整台２０５の接続部と画像検出モジュール２０４の回路板２０４Bに配置される。また、収納部２１０Eが、押し棒２２３を収納するために、調整台２０５の側部２１０に形成される。押し部２１０を用いることにより、回路板２０４Bを外に所定の距離で押すことができる。この場合、水平配置の傾斜角が校正され、光路傾斜の問題を克服される。
【００３７】
また、図５Aに示すように、押し棒２２３が調整される前に、押し棒２２３が回路板２０４Bと調整台２５０と連結される。ねじ２２８を押し棒２２３の前端のねじ穴２２３Aに貫通させ、そして、回路板２０４Bの導向軌道２０４B’にねじ２２８をスクルーすることにより、回路板２０４Bが押し棒２２３の前端に固定される。一方、押し棒２２３の上面には、調整台２０５の側部２１０における下向きの導向軌道２１０Fとせん孔２１０Gに対応するねじ穴２３３Bと線形凹部２２３Cを更に含む。押し棒２２３が収納部２１０Eに収納された後に、押し棒２２３の後端が、ねじ２２４を導向軌道２１０Fに貫通させ、そして、ねじ穴２３３Bにゆるくスクルーすることにより、調整台２０５と連結される。
【００３８】
また図５Aから図５Cに示すように、押し棒２２３が調整台２０５と連結された後に、線形凹部２２３Cの部分がせん孔２１０Gから露出される。調整シャフト２２６の偏心カム２２５を、せん孔２１０Gを通過して、線形凹部２２３Cに挿入することにより、押し棒２２３の移動を調整することができる。偏心カム２２５は、調整シャフト２２６の回転により、線形凹部２２３Cを回路板２０４Bに移動する。この場合、画像検出モジュール２０４の配置角度が精確的調整されるので、光路傾斜を最小限にすることができる。調整された光路が所定の条件を満たすと、ねじ２２４をねじ穴２３３Bにしっかりスクルーすることにより、押し棒２２３が調整台２０５に完全に固定される。図５Bと図５Cに示すように、回路２０４Bの一つのエッジが、押し棒２２３により調整台２０５から押され、画像検出モジュール２０４の水平の配置角度が精確的に調整される。これにより、光学読込ヘッド３０の光路傾斜が校正される。
【００３９】
前述の第三の好適な実施形態において、押し棒２２３が、それぞれ調整台２５０の側部２１０のせん孔２１０Gと導向軌道２１０Fに対応する、押し棒２２３の上面のねじ穴２３３Bと線形凹部２２３Cを取り込むことにより、調整台２０５と連結される。あるいは、導向軌道２１０Fとせん孔２１０Gの位置は、ねじ穴２３３Bと線形凹部２２３Cの位置に対応すれば、ねじ穴２３３Bと線形凹部２２３Cは、押し棒２２３の側部に露出されても良い。なお、調整可能な機構については、この実施形態に限定されず、あらゆる変更も可能です。例えば、ねじ穴と線形凹部が押し棒の上面と側面に提供されれば、箱状の押し棒２２３が任意の形状を持つ調整可能な機構に取り替えられても良い。
【００４０】
光学読込ヘッドの第四の実施形態が図６Aと図６Bに示される。この実施形態において、基本的な構成要素が第一の実施形態に説明された構成要素とほぼ同じであるので、ここでは、その説明を省略する。また、第二の実施形態に説明された固定要素の特徴と、第三の実施形態に説明された調整可能な機構とは、本実施形態に係る光学読込ヘッドに統合される。図６Aに示すように、調整台２０５は、背部２１０の底面に位置する収納部２１０Eと、固定板２２１とを含む。固定板２２１は、L状のフック部２２１Aとせん孔２２１Bを有し、また、図４Aに示された固定板２２１とほぼ同じように、収納部２１０Eに収納と固定される。調整台２０５は、収納部２１０Eと連通する入口２１０Hを更に含む。入口２１０Hを通過し、押し棒或いは押しブロック２２３は、前向きに押され、収納部２１０Eに収納される。この実施形態において、固定板２２１のL状のフック部２２１Aが、L状に導向軌道２０７Bの外面にフックされた後に、調整台２０５がケーシング２００に固定される。また、固定板２２１は、押し棒２２３を抑えるから、押し棒２２３の移動範囲を制限することができる。図６Bに示すように、ねじ２２２を収納部２１０Eに位置するねじ穴台座２１０Dにスクルーすることにより、固定板２２１が調整台２０５と連結され、また、押し棒２２３部分が固定板２２１により抑えられるので、押し棒２２３が収納部２１０Eに固定される。ねじ２２４を、導向軌道２１０Fを通過してねじ穴２３３Bにゆるくスクルーすることにより、押し棒２２３が事前に調整台２０５と連結される。そして、ねじ２２８を回路板２０４B’の導向軌道２０４B’にスクルーすることにより、回路板２０４Bが押し棒２２３前端に固定される。また、調整シャフト２２６の偏心カム２２５を、せん孔２１０Gを通過して線形凹部２２３Cに挿入することにより、押し棒２２３の移動を調整することができる。偏心カム２２５は、調整シャフト２２６により線形凹部２２３Cを、回路板２０４Bに向けって移動する。この場合、画像検出モジュール２０４の配置角度が精確的に調整されるので、光路傾斜を最小限にすることができる。
【００４１】
図７Aは、本発明の第一から第四の好適な実施形態のいずれかに係る滑りフレーム２０６と調整台２０５との組み合わせを示す図である。二つの水平ブロック２１４が、調整台２０５の側部２１０と２１１に内壁に形成され、滑りフレーム２０６の二つのサイドには、水平ブロック２１４に対応するL状のほぞ２０６Bと幾つの水平翼２０６Aが含まれる。水平翼２０６AとL状のほぞ２０６Bが水平ブロック２１４の上面と底面を固定した後に、滑りフレーム２０６が調整台２０５と連結され、また、水平ブロック２１４に沿って前後に移動可能である。
【００４２】
図７Bは、本発明の第五の実施形態に係る滑りフレーム２０６と調整台２０５との組み合わせを示す図である。二つの滑り棒２２７が調整台２０５の反対側に提供される。滑りフレーム２０６の各々のサイドには、対応する滑り棒２２７と係合するアーチ状のほぞ２０６Jが含まれる。滑りフレーム２０６は、調整台２０５の滑り棒２２７に沿って前後に移動可能であり、レンズ２０３は、導向軌道２０８に移動するために駆動される。なお、滑り棒２２７とほぞ２０６Jについては、本実施形態に限定されず、あらゆる変更も可能である。
【００４３】
以上、本発明の好ましい実施形態を説明したが、本発明はこの実施形態に限定されず、本発明の趣旨を離脱しない限り、本発明に対するあらゆる変更は本発明の範囲に属する。
【図面の簡単な説明】
【００４４】
【図１】従来のスキャン装置の光学読込ヘッドの断面図である。
【図２】本発明の好適な実施例に係るスキャン装置の光学読込ヘッドの断面図である
【図３Ａ】本発明の第一の好適な実施例に係るスキャン装置の光学読込ヘッドを組み立てるプロセスを示す斜視図である。
【図３Ｂ】本発明の第一の好適な実施例に係るスキャン装置の光学読込ヘッドを組み立てるプロセスを示す斜視図である。
【図３Ｃ】本発明の第一の好適な実施例に係るスキャン装置の光学読込ヘッドを組み立てるプロセスを示す斜視図である。
【図３Ｄ】本発明の第一の好適な実施例に係るスキャン装置の光学読込ヘッドを組み立てるプロセスを示す斜視図である。
【図３Ｅ】本発明の第一の好適な実施形態に係る焦点合わせと倍率補正を示す上面図である。
【図３Ｆ】本発明の第一の好適な実施形態に係る焦点合わせと倍率補正を示す上面図である。
【図３Ｇ】本発明の第一の好適な実施形態に係る焦点合わせと倍率補正を示す上面図である。
【図３Ｈ】本発明の第一の好適な実施形態に係る調整台と滑りフレームは、焦点合わせと倍率補正が完了された後にケーシングと固定される様子を示す図の上面図である。
【図４Ａ】本発明の第二の好適な実施形態に係る光学読込ヘッドの固定要素を示す斜視図である。
【図４Ｂ】本発明の第二の好適な実施形態に係る光学読込ヘッドの固定要素を示す斜視図である。
【図４Ｃ】本発明の第二の好適な実施形態に係る光学読込ヘッドの固定要素を示す斜視図である。
【図５Ａ】本発明の第三の好適な実施形態において、調整可能な機構を有するスキャン装置の光学読込ヘッドを示す分解図である。
【図５Ｂ】本発明の第三の好適な実施形態において、調整可能な機構により画像検出モジュールの配置角度を調整する方法を示す上面図である。
【図５Ｃ】本発明の第三の好適な実施形態において、調整可能な機構により画像検出モジュールの配置角度を調整する方法を示す上面図である。
【図６Ａ】本発明の第四の好適な実施形態において、固定要素と調整可能な機構とを有する光学読込ヘッドを示す分解図である。
【図６Ｂ】本発明の第四の好適な実施形態に係る光学読込ヘッドの調整可能な機構と固定要素を示す断面図の一部である。
【図７Ａ】本発明の第一から第四の好適な実施形態のいずれかに係る調整台と滑りフレームとの組み合わせを示す前面図です。
【図７Ｂ】本発明の第五の好適な実施形態に係る調整台と滑りフレームとの組み合わせを示す前面図である。
【符号の説明】
【００４５】
１  従来のスキャン装置
１０  光学読込ヘッド
１１  スキャン対象
１００  光学読込ヘッドのハウジング
１０１  光源
１０２  反射鏡
１０３  レンズ
１０４  画像検出モジュール
２  本発明のスキャン装置
２０  光学読込ヘッド
２００  光学読込ヘッドのハウジング
２０１  光源
２０２  反射鏡
２０３  レンズ
２０４  画像検出モジュール
２０５  ケーシング
２０６  滑りフレーム
２０７  導向軌道
２０８  滑り軌道
２０９  背部
２１０、２１１  側部
２１２  水平底板
２１３  導向レール
２１４  水平ブロック
２１５、２１６  ねじ
２１７、２１９、２２５  偏心カム
２１８、２２０、２２６  調整シャフト
２２１  固定板
２２２、２２４、２２８  ねじ
２２３  押し棒
２２７  滑り棒
【図１】
2007074692.tif 000003
【図２】
2007074692.tif 000004
【図３Ａ】
2007074692.tif 000005
【図３Ｂ】
2007074692.tif 000006
【図３Ｃ】
2007074692.tif 000007
【図３Ｄ】
2007074692.tif 000008
【図３Ｅ】
2007074692.tif 000009
【図３Ｆ】
2007074692.tif 000010
【図３Ｇ】
2007074692.tif 000011
【図３Ｈ】
2007074692.tif 000012
【図４Ａ】
2007074692.tif 000013
【図４Ｂ】
2007074692.tif 000014
【図４Ｃ】
2007074692.tif 000015
【図５Ａ】
2007074692.tif 000016
【図５Ｂ】
2007074692.tif 000017
【図５Ｃ】
2007074692.tif 000018
【図６Ａ】
2007074692.tif 000019
【図６Ｂ】
2007074692.tif 000020
【図７Ａ】
2007074692.tif 000021
【図７Ｂ】
2007074692.tif 000022